(57)【要約】【課題】  踵を保持して履く踵保持履きと足を滑りこませて履くサンダル履きとを兼用して履くことができる履き物を提供する。【解決手段】  履き物１０は、底部材１２と、この底部材１２上にて左右に渡り、足の甲を保持するバンド部材１４と、底部材１２上にて左右に渡り、足の踵を保持する踵保持部材２０とを備える。踵保持部材２０は、バンド部材１４に回動自在に取り付けられる。踵保持部材２０は、バンド部材１４に着脱自在に取り付けられる。履き物１０には、足の踵を保持するために踵保持部材２０を底部材１２後部から所定寸法離間した位置に回動させた状態で、当該踵保持部材２０を保持する保持手段を備える。【選択図】          図１
0003107586.tif 000002
【実用新案登録請求の範囲】
【請求項１】
底部材と、該底部材上にて左右に渡り、足の甲を保持するバンド部材と、前記底部材上にて左右に渡り、足の踵を保持する踵保持部材とを備え、
該踵保持部材は、前記バンド部材に回動自在に取り付けられていることを特徴とする履き物。
【請求項２】
前記踵保持部材は、前記バンド部材に着脱自在に取り付けられることを特徴とする請求項１の履き物。
【請求項３】
足の踵を保持するために前記踵保持部材を前記底部材後部から所定寸法離間した位置に回動させた状態で、当該踵保持部材を保持する保持手段を備えたことを特徴とする請求項１又は請求項２の履き物。
【請求項４】
足の甲の上方に前記踵保持部材を回動させた状態で、当該踵保持部材を保持するもう一つの保持手段を備えたことを特徴とする請求項３の履き物。
【請求項５】
前記保持手段は、前記踵保持部材に設けられた保持部材側係止孔又は保持部材側係止ピンと、前記バンド部材に設けられ、前記保持部材側係止孔に挿入されるバンド部材側係止ピン又は前記保持部材側係止ピンが挿入されるバンド部材側係止孔とから構成されていることを特徴とする請求項３又は請求項４の履き物。
【請求項６】
前記保持手段は、前記踵保持部材が回動して当接する位置の前記バンド部材に設けられたストッパーから構成されていることを特徴とする請求項３又は請求項４の履き物。
【考案の詳細な説明】
【技術分野】
【０００１】
本考案は、履き物に関するものであり、特に踵を保持して履く踵保持履きと足を滑りこませて履くサンダル履きとを兼用可能に履くことができる履き物に関するものである。
【背景技術】
【０００２】
従来よりこの種の履き物は、底部材にのせた足が離れないようにするため、底部材の踵側に踵保持部材を設けると共に、一端を底部材の側面に固定したバンド部材を設け、このバンド部材の他端を自由端としている。バンド部材にはバックルが設けられており、バンド部材を足の甲に回してバンド部材の一部にバックルを固定することにより履き物から足が離れないように構成していた（特許文献１参照）。
【０００３】
【特許文献１】特開２００１−１７２０１号公報
【考案の開示】
【考案が解決しようとする課題】
【０００４】
しかしながら、上述のような履き物では、足の甲にバンド部材を回して固定することにより、履き物から足が離れないようにしていたが、少距離だけ移動した場合には足の甲にバンド部材を回して固定するのが面倒であった。そこで、足を滑りこませて簡単に履くことができるサンダルがあるが、サンダルを履くと、今度は長距離を移動する場合や、運動をする場合などはサンダルが脱げてしまうため、足の甲にバンド部材を回して固定する履き物に履き替えなければならないという煩わしさがあった。
【０００５】
また、足の踵にバンド部材を回して履くサンダルを、少距離だけ履くときはそのままバンド部材に足を滑りこませて履くサンダル履きの場合が多い。このため、サンダルの踵保持部材が踵で潰されてしまい、踵保持履きが困難になってしまうと共にサンダルの美観を損ねてしまうと言う問題があった。
【０００６】
本考案は、係る従来技術の課題を解決するために成されたものであり、踵を保持して履く踵保持履きと足を滑りこませて履くサンダル履きとを兼用して履くことができる履き物を提供することを目的とする。
【課題を解決するための手段】
【０００７】
即ち、本考案の履き物は、底部材と、この底部材上にて左右に渡り、足の甲を保持するバンド部材と、底部材上にて左右に渡り、足の踵を保持する踵保持部材とを備え、この踵保持部材は、バンド部材に回動自在に取り付けられていることを特徴とする。
【０００８】
また、請求項２の考案の履き物は、上記に加えて、踵保持部材は、バンド部材に着脱自在に取り付けられることを特徴とする。
【０００９】
また、請求項３の考案の履き物は、請求項１又は請求項２に加えて、足の踵を保持するために踵保持部材を底部材後部から所定寸法離間した位置に回動させた状態で、当該踵保持部材を保持する保持手段を備えたことを特徴とする。
【００１０】
また、請求項４の考案の履き物は、請求項３に加えて、足の甲の上方に踵保持部材を回動させた状態で、当該踵保持部材を保持するもう一つの保持手段を備えたことを特徴とする。
【００１１】
また、請求項５の考案の履き物は、請求項３又は請求項４において、保持手段は、踵保持部材に設けられた保持部材側係止孔又は保持部材側係止ピンと、バンド部材に設けられ、保持部材側係止孔に挿入されるバンド部材側係止ピン又は保持部材側係止ピンが挿入されるバンド部材側係止孔とから構成されていることを特徴とする。
【００１２】
また、請求項６の考案の履き物は、請求項３又は請求項４において、保持手段は、踵保持部材が回動して当接する位置のバンド部材に設けられたストッパーから構成されていることを特徴とする。
【考案の効果】
【００１３】
本考案によれば、底部材と、この底部材上にて左右に渡り、足の甲を保持するバンド部材と、底部材上にて左右に渡り、足の踵を保持する踵保持部材とを備え、この踵保持部材は、バンド部材に回動自在に取り付けられているので、踵保持部材をつま先側に回動させれば足を滑りこませて簡単に履くことができるサンダル履きとして使用することができるようになると共に、踵保持部材を踵側に回動させれば踵が保持されて容易に脱げないように履く踵保持履きとして使用することができるようになる。これにより、一足の履き物で、サンダル履きと踵保持履きとの両方を実現することが可能となる。また、履き物を少距離だけ履くときは、踵保持部材をつま先側に回動させることができるので、例えば、従来のように踵で踵保持部材が踏まれて踵保持部材が潰れてしまうなどと言う不都合を防止することができる。従って、履き物を履きやすい状態で長期間維持することができるようになると共に、履き物の美観を長期間維持することができるようになるものである。
【００１４】
また、踵保持部材を踵側に回動させれば、踵を保持する踵保持履きとして使用することができるので、例えば自動車の運転時に履き物が脱げてしまうなどの支障を来してしまうのを防止することができる。これにより、自動車の安全運転を行うことができる。
【００１５】
特に履き物は、サンダル履きと踵保持履きとの両方に兼用することができるので、履き物の使用頻度を向上させることができる。これにより、履き物の買い換え時期を早め売り上げを向上させることができる。従って、履き物の需要が増大して履き物業界の大幅な活性化を図ることができるようになるものである。
【００１６】
また、請求項２の考案によれば、上記に加えて、踵保持部材は、バンド部材に着脱自在に取り付けられるので、踵保持部材を長期間使用しない時は、踵保持部材を外しておくことができる。これにより、履き物の美観を向上させることが可能となる。従って、履き物の利便性を大幅に向上させることができるようになるものである。
【００１７】
また、請求項３の考案によれば、請求項１又は請求項２に加えて、足の踵を保持するために踵保持部材を底部材後部から所定寸法離間した位置に回動させた状態で、当該踵保持部材を保持する保持手段を備えたので、踵保持部材を踵の所定位置で保持させることができる。これにより、踵保持部材が下がって底部材に当接し、踵から外れてしまう不都合を防止することができる。従って、履き物が容易に足から脱げ難く、履き心地の良い履き物を提供することができるようになるものである。
【００１８】
また、請求項４の考案によれば、請求項３に加えて、足の甲の上方に踵保持部材を回動させた状態で、当該踵保持部材を保持するもう一つの保持手段を備えたので、踵保持部材をバンド部材上の所定位置に保持することができる。これにより、例えば履き物が倒れたり、斜めに傾いたりした場合でも、踵保持部材が足の甲の上方側から踵側に移動してしまうのを確実に防止することができる。従って、一度踵保持部材をバンド部材上の所定位置に保持しておけば、極めて容易に履き物を履くことができるようになるものである。
【００１９】
また、請求項５の考案によれば、請求項３又は請求項４において、保持手段は、踵保持部材に設けられた保持部材側係止孔又は保持部材側係止ピンと、バンド部材に設けられ、保持部材側係止孔に挿入されるバンド部材側係止ピン又は保持部材側係止ピンが挿入されるバンド部材側係止孔とから構成されているので、踵保持部材を踵側、又は、つま先側に回動させれば、踵保持部材に設けられた保持部材側係止孔又は保持部材側係止ピンと、バンド部材に設けられたバンド部材側係止ピン又はバンド部材側係止孔とを係合させることができる。これにより、底部材から所定寸法離間した位置に踵保持部材を保持させることができる。従って、履き物を極めて容易にサンダル履きと踵保持履きとの両方に兼用することができるようになるものである。
【００２０】
また、請求項６の考案によれば、請求項３又は請求項４において、保持手段は、踵保持部材が回動して当接する位置のバンド部材に設けられたストッパーから構成されているので、踵保持部材を踵側、又は、つま先側に回動させるだけで、踵保持部材を底部材から所定距寸法離間した位置に保持させることが可能となる。従って、履き物を極めて容易にサンダル履きと踵保持履きとの両方に兼用することができるようになるものである。
【考案を実施するための最良の形態】
【００２１】
本考案は、足を滑りこませて簡単に履けるサンダル履きと、容易に脱げないように履く踵保持履きを一足の履き物で容易にできないという不都合を解消することを特徴とする。サンダル履きと踵保持履きを兼用するという目的を踵保持部材に回動可能なバンド部材を設けるだけの簡単な構造で実現した。
【実施例１】
【００２２】
次に、図面に基づき本考案の実施の形態を詳述する。図１は本考案の一実施例を示す履き物１０の側面図、図２は本考案の一実施例を示す履き物１０（踵保持部材２０を図示せず）の側面図、図３は同図２の履き物１０の正面図、図４は本考案の一実施例を示す履き物１０を構成する踵保持部材２０の平面図をそれぞれ示している。
【００２３】
履き物１０は、図１に示すように足をのせる底部材１２と、この底部材１２上にて左右に渡り、足の甲を保持し、底部材１２にのせた足が離れないようにするための帯状のバンド部材１４と、底部材１２上にて左右に渡り、足の踵を保持する踵保持部材２０とから構成されている。底部材１２は、図示しないが地面に接する下底、中底、足をのせる表底などが接着剤にて互いに接着されて作られている。この底部材１２の材質として、弾性或いはクッション性を有するものが好ましい。
【００２４】
バンド部材１４は、図１、図２に示すように足の甲部分に一本或いは複数本（実施例では２本）架け渡され、その両端は底部材１２の両側に固定されている。この場合、バンド部材１４の両端は複数枚の中底と表底の間に挟まれ、接着剤にて底部材１２に固定されている。該バンド部材１４は、弾性部材にて構成され、足の甲が接する部分にクッション性のある材料を設けたものが好ましい。
【００２５】
また、踵保持部材２０は図４に示すように所定幅の帯状に形成され、両端はバンド部材１４に回動自在に係合される。該踵保持部材２０は、後述する係合部材２８にて回動自在にバンド部材１４に係合される。そして、踵保持部材２０が係合部材２８にてバンド部材１４に係合された状態で、係合部材２８の一方（図中左側）に踵を保持する踵支持部２６、他方（図中右側）両端に係止部２２が設けられる。該係止部２２は、係合部材２８を基準に踵支持部２６の反対側に所定寸法延在している。
【００２６】
係合部材２８は、図示しないが略平行に２本の細い針金を有した雌側の金具と、その２本の針金の間に突起が挿入されて保持される雄側の金具からなる所謂ホックにて構成されている。このホックの雌側の金具（第１係合材２８Ａ）は、バンド部材１４の両側所定位置に固定（図２に図示）され、ホックの雄側の金具（第２係合材２８Ｂ）は、踵保持部材２０の両端（踵支持部２６と両係止部２２との間）に固定されている。そして、バンド部材１４の両側に固定された第１係合材２８Ａに、踵保持部材２０の両端に固定された第２係合材２８Ｂが係合されることにより、踵保持部材２０はバンド部材１４に回動自在に係合されると共に、着脱自在に取り付けられる。尚、１８は留め金具で、履き物１０を履く足の大きさに合わせて踵保持部材２０の長さを調整するためのものである。
【００２７】
一方、履き物１０には、踵保持部材２０を後部踵側（図１左側）の底部材１２面から所定寸法上方（バンド部材１４側）に離間した位置に回動させた状態で保持する保持手段（第１保持手段）を備えている。また、履き物１０には、踵保持部材２０を前部つま先側（図１右側）の底部材１２面から所定寸法上方（バンド部材１４側）に離間した位置に回動させた状態で保持するもう一つの保持手段（第２保持手段）を備えている。該両保持手段は、係止孔２４とこの係止孔２４内に挿入される係止ピン１６にて構成されている。
【００２８】
具体的には、第１保持手段は図３に示すようにバンド部材１４に設けられた係止ピン１６としてのバンド部材側係止ピン１６Ａと、図４に示すように踵保持部材２０に設けられた係止孔２４としての保持部材側係止孔２４Ａとから構成されている。保持部材側係止孔２４Ａは、例えば、直径約３ｍｍ〜５ｍｍの孔径にて踵保持部材２０を貫通して形成されると共に、踵保持部材２０両端の係止部２２に設けられている。また、バンド部材側係止ピン１６Ａは、保持部材側係止孔２４Ａ内に挿入可能な円柱形に形成されている。このバンド部材側係止ピン１６Ａは、保持部材側係止孔２４Ａと略同等の太さに形成され、先端は半球形状に形成されている。
【００２９】
また、バンド部材側係止ピン１６Ａは、前記第１係合材２８Ａに対して所定寸法踵側（図２左側）に設けられている。このバンド部材側係止ピン１６Ａは、踵保持部材２０の厚さと略同じ長さを呈している。そして、バンド部材１４の両側に固定された第１係合材２８Ａに、踵保持部材２０の両端に固定された第２係合材２８Ｂが係合される。この状態で、踵保持部材２０に設けた保持部材側係止孔２４Ａは、バンド部材側係止ピン１６Ａに対向した位置に設けられている。
【００３０】
踵保持部材２０は、バンド部材１４の両側に固定された第１係合材２８Ａに、踵保持部材２０の両端に固定された第２係合材２８Ｂが係合された状態で、図５矢印で示すように踵保持部材２０を踵側と、つま先側とに回動可能に取り付けられる。そして、図６矢印で示すように踵保持部材２０がつま先側に回動されると、踵保持部材２０の保持部材側係止孔２４Ａは、踵側のバンド部材側係止ピン１６Ａに挿入され、その状態が保持される。このとき、踵支持部２６を弾性部材で構成すると共にバンド部材側係止ピン１６Ａの先端を半球形状に形成しているので、係止部２２が撓んで保持部材側係止孔２４Ａをバンド部材側係止ピン１６Ａに挿入することができる。
【００３１】
また、踵保持部材２０がつま先側に回動された状態で、踵保持部材２０がバンド部材１４上面に略接するようにしている。これにより、踵保持部材２０とバンド部材１４との外観的一体化を図り、履き物１０の美観を向上している。尚、係止部２２がバンド部材側係止ピン１６Ａの側面に引っ掛かって保持部材側係止孔２４Ａをバンド部材側係止ピン１６Ａに挿入することができない場合は、係止部２２を僅か持ち上げてやれば、保持部材側係止孔２４Ａを容易にバンド部材側係止ピン１６Ａに挿入することができる。
【００３２】
また、第２保持手段もバンド部材１４に設けられたバンド部材側係止ピン１６Ａと、踵保持部材２０に設けられた保持部材側係止孔２４Ａとから構成されている。この場合、バンド部材側係止ピン１６Ａは、前記第１係合材２８Ａに対して所定寸法つま先側（図２右側）に設けられており、他は第１保持手段同様に構成されている。そして、図７矢印で示すように踵保持部材２０が踵側に回動されると、踵保持部材２０の保持部材側係止孔２４Ａは、つま先側のバンド部材側係止ピン１６Ａに挿入され、その状態が保持される。
【００３３】
このときも、前述同様踵支持部２６を弾性部材で構成すると共にバンド部材側係止ピン１６Ａの先端を半球形状に形成しているので、係止部２２が撓んで保持部材側係止孔２４Ａをバンド部材側係止ピン１６Ａに挿入することができる。また、係止部２２がバンド部材側係止ピン１６Ａの側面に引っ掛かって保持部材側係止孔２４Ａをバンド部材側係止ピン１６Ａに挿入することができない場合は、係止部２２を僅か持ち上げてやれば、保持部材側係止孔２４Ａを容易にバンド部材側係止ピン１６Ａに挿入することができる。
【００３４】
このように、踵保持部材２０をバンド部材１４に回動自在に取り付けているので、踵保持部材２０をつま先側に回動させれば、足を滑りこませて簡単に履くことができるサンダル履きとして使用することができる。また、踵保持部材２０を踵側に回動させれば踵が保持されて容易に脱げないように履く踵保持履きとして使用することができる。これにより、一足の履き物１０で、サンダル履きと踵保持履きとの双方に利用できる履き物を実現することが可能となる。
【００３５】
また、踵保持部材２０を踵側に回動させて、踵を保持する踵保持履きとして使用することができるので、例えば自動車の運転時に履き物１０が脱げてしまうなどの支障を来してしまうのを防止することができる。これにより、自動車の安全運転を行うことができる。また、履き物１０を少距離だけ履くときは、踵保持部材２０を簡単につま先側に回動させることができるので、従来のように踵で踵保持部材２０が踏まれて踵保持部材２０が潰れてしまうなどと言う不都合を防止することができる。
【００３６】
特に、履き物１０は、サンダル履きと踵保持履きとの両方に兼用することができるので、履き物１０の使用頻度を向上させることができる。これにより、履き物１０の買い換え時期を早め売り上げを向上させることができるので、履き物１０の需要が増大して履き物１０業界の大幅な活性化を図ることができるようになる。
【００３７】
また、踵保持部材２０は、バンド部材１４に着脱自在に取り付けているので、踵保持部材２０を長期間使用しない時（自動車の運転を行わないときなど）は、踵保持部材２０を外しておくことができる。これにより、履き物１０の美観を向上させることが可能となるので、履き物１０の利便性を大幅に向上させることができる。
【００３８】
また、足の踵を保持するために踵保持部材２０を底部材１２後部から所定寸法上方（バンド部材１４側）に離間した位置に回動させた状態で、踵保持部材２０を保持するバンド部材側係止ピン１６Ａと保持部材側係止孔２４Ａを備えているので、踵保持部材２０を踵の所定位置で保持させることができる。この場合、踵保持部材２０が下がって底部材１２に当接し、踵から外れてしまう不都合を防止することができる。これにより、履き物１０が容易に足から脱げ難く、履き心地の良い履き物１０を提供することができる。
【００３９】
また、足の甲の上方に踵保持部材２０を回動させた状態で、踵保持部材２０を保持するもう一つのバンド部材側係止ピン１６Ａと保持部材側係止孔２４Ａを備えているので、踵保持部材２０をバンド部材１４上の所定位置に保持することができる。この場合、例えば履き物１０が倒れたり、斜めに傾いたりした場合でも、踵保持部材２０が足の甲の上方側から踵側に移動してしまうのを確実に防止することができる。これにより、一度踵保持部材２０をバンド部材１４上の所定位置に保持しておけば、極めて容易に履き物１０を履くことができるようになる。
【実施例２】
【００４０】
次に、図８には本考案の他の実施例の履き物１０を示している。履き物１０は、前述の実施例と略同じ構成を有している。以下、異なる部分について説明する。尚、前述の実施例と同じ部分にはこれと同じ符号を付し、説明を省略する。履き物１０は、図８に示すように実施例１でバンド部材１４に設けた、バンド部材側係止ピン１６Ａの代わりにストッパー３０（本発明の保持手段に相当）が設けられている。また、踵保持部材２０には係止部２２を設けていない。
【００４１】
該ストッパー３０は、図８矢印で示すように踵保持部材２０が踵側、或いは、つま先側に回動されたとき、踵保持部材２０を実施例１同様底部材１２から所定寸法上方（バンド部材１４側）に離間した位置のバンド部材１４に接着剤にて固定されている。この場合、踵保持部材２０をつま先側に回動させたとき踵保持部材２０がバンド部材１４に当接する場合は、つま先側のストッパー３０を設けなくても差し支えない。該ストッパー３０は、踵保持部材２０と略同等の厚さ、若しくは、踵保持部材２０の約２倍の厚さにて構成されている。これにより、踵保持部材２０がストッパー３０から脱落することなく、確実にストッパー３０で保持することができる。これにより、踵保持部材２０を踵側、又は、つま先側に回動させるだけで、踵保持部材２０を底部材１２から所定寸法上方に離間した位置に保持させることが可能となる。他前述同様の効果を得ることができる。
【００４２】
尚、実施例１では、保持手段としてバンド部材１４に係止ピン１６（バンド部材側係止ピン１６Ａ）、踵保持部材２０に係止孔２４（保持部材側係止孔２４Ａ）を設けたが、保持手段はこれに限らず、バンド部材１４に係止孔２４として保持部材側係止孔２４Ａ同等のバンド部材側係止孔（図示せず）、踵保持部材２０に係止ピン１６としてバンド部材側係止ピン１６Ａ同等の保持部材側係止ピン（図示せず）を設けても差し支えない。この場合も実施例１同様の効果を得ることができる。
【００４３】
また、各実施例では保持手段として係止ピン１６と係止孔２４、及び、ストッパー３０などを設けたが、保持手段はこれに限らず係止ピン１６と係止孔２４の代わりに前述同様のホックを設けても差し支えない。この場合、ホックの雌側の金具はバンド部材１４、雄側の金具は踵保持部材２０側に取り付けられる。これにより、踵保持部材２０を底部材１２から所定寸法上方に離間した位置に強固に保持させることができ、実施例１同様の効果を得ることができる。尚、ホックの雌側の金具と雄側の金具は踵保持部材２０及びバンド部材１４側のどちらに取り付けても差し支えない。
【００４４】
また、各実施例では履き物１０の両側に保持手段（踵保持部材２０を底部材１２から所定寸法上方に離間した位置に保持させるための係止ピン１６と係止孔２４、及び、ストッパー３０など）を設けたが、踵保持部材２０を底部材１２から所定寸法上方に離間した位置に保持させることができれば、保持手段は履き物１０の片側（左右どちらか一方片側）だけ設けても差し支えない。この場合も前述同様の効果を得ることができる。
【００４５】
また、本発明は上記実施の形態に限定されるものではなく、その要旨を逸脱しない範囲で種々変更可能であるのは言うまでもない。
【図面の簡単な説明】
【００４６】
【図１】本考案の一実施例を示す履き物の側面図である（実施例１）。
【図２】本考案の一実施例を示す履き物（踵保持部材を図示せず）の側面図である。
【図３】同図２の履き物の正面図である。
【図４】本考案の一実施例を示す履き物を構成する踵保持部材の側面図である。
【図５】踵保持部材の動きを示す履き物の側面図である。
【図６】踵保持部材をつま先側に回動させた状態を示す履き物の側面図である。
【図７】踵保持部材を踵側に回動させた状態を示す履き物の側面図である。
【図８】本発明の他の実施例にかかる履き物の側面図である（実施例２）。
【符号の説明】
【００４７】
１０  履き物
１２  底部材
１４  バンド部材
１６  係止ピン
１６Ａ  バンド部材側係止ピン
１８  留め金具
２０  踵保持部材
２２  係止部
２４  係止孔
２４Ａ  保持部材側係止孔
２６  踵支持部
２８  係合部材
２８Ａ  第１係合材
２８Ｂ  第２係合材
【図１】
0003107586.tif 000003
【図２】
0003107586.tif 000004
【図３】
0003107586.tif 000005
【図４】
0003107586.tif 000006
【図５】
0003107586.tif 000007
【図６】
0003107586.tif 000008
【図７】
0003107586.tif 000009
【図８】
0003107586.tif 000010